(57)【特許請求の範囲】
【請求項１】
被験者の顔画像を入力する顔情報入力システムにおいて、
被験者の顔を撮影して画像データを出力する撮影手段と、
前記被験者が座る高さ調整機構を持つ椅子と、
前記被験者に対し位置合わせのガイダンスを出力するガイダンス出力手段と、
前記撮影手段の上下左右を囲んで複数配置され撮影時の位置合わせの基準を示す発光手段と、
前記撮影手段の近傍に配置され撮影時に発光して前記被験者の顔を照明する照明手段と、
前記撮影手段及び発光手段及び照明手段と前記被験者との間に配置され、前記発光手段の発する光を前記被験者側に透過すると共に、前記被験者の顔を反射して写すハーフミラーとを
有することを特徴とする顔情報入力システム。
【請求項２】
請求項１記載の顔情報入力システムにおいて、
前記発光手段は、前記ガイダンス出力手段が位置合わせのガイダンスを出力するときに点滅することを特徴とする顔情報入力システム。
【発明の詳細な説明】
【０００１】
【発明の属する技術分野】
本発明は顔情報入力システムに係り、人の顔情報を入力する顔情報入力システムに関する。
【０００２】
【従来の技術】
メーキャップのカウンセリングを行う場合、その人の肌の色や顔の形に合わせてメーキャップの仕方を選択するため、肌の色や顔の形等の顔情報を正確に測定する必要がある。
このような顔情報の測定をコンピュータを用いて自動化しようとしたとき、顔情報を入力するには、カウンセラーが被験者の顔をデジタルカメラで撮影し、得られた顔画像データをコンピュータシステムに入力することが考えられる。
【０００３】
【発明が解決しようとする課題】
しかし、カウンセラーが被験者の顔をデジタルカメラで撮影するという方法では、カウンセラーがいなければ被験者の顔情報を入力することができず、被験者が自らの顔情報を自分一人で入力しようとしたとき、カメラに対する位置合わせが非常に困難であるという問題があった。
【０００４】
本発明は、上記の点に鑑みなされたもので、被験者が自らカメラに対する位置合わせを行うことができ、被験者一人で顔情報を入力できる顔情報入力システムを提供することを目的とする。
【０００５】
【課題を解決するための手段】
請求項１に記載の発明は、被験者の顔画像を入力する顔情報入力システムにおいて、
被験者の顔を撮影して画像データを出力する撮影手段と、
前記被験者が座る高さ調整機構を持つ椅子と、
前記被験者に対し位置合わせのガイダンスを出力するガイダンス出力手段と、
前記撮影手段の上下左右を囲んで複数配置され撮影時の位置合わせの基準を示す発光手段と、
前記撮影手段の近傍に配置され撮影時に発光して前記被験者の顔を照明する照明手段と、
前記撮影手段及び発光手段及び照明手段と前記被験者との間に配置され、前記発光手段の発する光を前記被験者側に透過すると共に、前記被験者の顔を反射して写すハーフミラーとを有する。
【０００６】
このため、被験者が椅子に座ることで、撮影手段に対する大まかな位置合わせを行うことができ、更に、発光手段の発する基準を示す光とハーフミラーに写った自分の顔を見て、被験者は自ら撮影手段に対する位置合わせを行うことができ、自分一人で顔情報を入力できる。
請求項２に記載の発明は、請求項１記載の顔情報入力システムにおいて、
前記発光手段は、前記ガイダンス出力手段が位置合わせのガイダンスを出力するときに点滅する。
【０００７】
このため、撮影手段に対する位置合わせを簡単かつ正確に行うことができる。
【０００８】
【発明の実施の形態】
図１は本発明の顔情報入力システムを含むメーキャップカウンセリングシステムの一実施例の構成図を示し、図２はメーキャップカウンセリングシステムの側面図を示す。
図１及び図２において、メーキャップカウンセリングシステムは、顔情報入力システムとしての撮影ユニット１０と、主ユニット１２内のパーソナルコンピュータ（パソコン）１４と、ＣＲＴモニタ１６及びスピーカ１７と、プリンタ１８と、ＣＲＴモニタ１６の表示面に設けられた透明なタッチパネル１９により、大略構成されている。
【０００９】
撮影ユニット１０には、デジタルカメラ２０と、デジタルカメラ２０の上下左右を囲んで配置された三角形状のＬＥＤマーカ２１，２２，２３，２４が収納されている。撮影ユニット１０の前面にはハーフミラー２５が設けられている。また、ハーフミラー２５の両脇には照明用の蛍光灯２６，２８が設けられ、デジタルカメラ２０の近傍にストロボ２９が設けられている。撮影ユニット１０は、図２に示すように、被験者の座る高さ調整機構付き椅子３０と所定距離（例えば数１０ｃｍ）離間して、ハーフミラー２２を被験者に対向して配置される。
【００１０】
高さ調整機構付き椅子３０は、例えば軸３１を中心として回転させることにより、回転方向に応じて高さ調整することができる。なお、撮影ユニット１０から見て、被験者の背後にはデジタルカメラ２０の撮影範囲をカバーする、白色の背面スクリーン３２が設けられている。
パーソナルコンピュータ１４には外部記憶装置として光磁気ディスク装置（ＭＯ）１５が接続されている。パーソナルコンピュータ１４は光磁気ディスク装置１５に格納されているプログラムを実行することにより、ＣＲＴモニタ１６にガイダンス表示を行うと共に、スピーカ１７から音声ガイダンスを出力する。また、パーソナルコンピュータ１４の制御によってＬＥＤマーカ２１，２２，２３，２４が点滅される。このＬＥＤマーカ２１，２２，２３，２４の点滅はハーフミラー２５を通して被験者に視認される。
【００１１】
被験者がタッチパネル１９を用いて撮影の操作を行うと、この操作がパーソナルコンピュータ１４に供給され、パーソナルコンピュータ１４はストロボ２９を発光させると同時に、デジタルカメラ２０に被験者の顔を撮影させる。撮影によりデジタルカメラ２０が出力する画像データはパーソナルコンピュータ１４に供給され、光磁気ディスク装置１５に格納される。
【００１２】
図３は、パーソナルコンピュータ１４が実行する顔情報入力処理の一実施例のフローチャートを示す。同図中、ステップＳ１０ではガイダンス表示を行う撮影画面を表示し、ステップＳ１２で音声ガイダンスをスピーカ１７から出力し、ステップＳ１４でＬＥＤマーカ２１，２２，２３，２４を遅い周期（例えば０．５ｓｅｃ周期）で点滅させる。
【００１３】
この撮影画面の一例を図４に示す。図４の画面中央には、左右の目がＬＥＤマーカ２１，２２を結ぶ線上となり、鼻の頭がＬＥＤ２３，２４を結ぶ線上となるように位置合わせしたイラスト４０が表示される。また、音声ガイダンスでは、「目線と左右のマーカを結ぶラインの高さを合わせ、鼻のラインを上下のマーカを結ぶラインに合わせてください。準備ができましたら、ボタンを押してください。」等のメッセージを出力する。
【００１４】
これにより、被験者は、ハーフミラー２５に写る図５（Ａ），（Ｂ），（Ｃ）に示すような、自分の顔とＬＥＤマーカ２１，２２，２３，２４の画像を見て、デジタルカメラ２０に対する位置合わせを行う。また、図５（Ａ）のように左右の目がＬＥＤマーカ２１，２２を結ぶ線より低いときは、高さ調整機構付き椅子３０を調整して図５（Ｃ）のように左右の目がＬＥＤマーカ２１，２２を結ぶ線に重なるように位置合わせする。図５（Ｂ）のように鼻の頭がＬＥＤ２３，２４を結ぶ線より右にあるときは、首を動かして図５（Ｃ）のように鼻の頭がＬＥＤ２３，２４を結ぶ線に重なるように位置合わせする。被験者はこの位置合わせが終わると、図４に示す撮影画面のガイダンス表示に従って撮影ボタン４２にタッチし、これがタッチパネル１９で検出される。
【００１５】
図３のステップＳ１６では撮影ボタン４２がタッチされたか否かを判別しており、撮影ボタン４２のタッチが検出されるとステップＳ１８に進む。ステップＳ１８では、ＬＥＤマーカ２１，２２，２３，２４を早い周期（例えば０．１ｓｅｃ周期）で点滅させ、かつ、ステップＳ２０でスピーカ１７からシャッター音を出力してシャッタータイミングを知らせると共に、ステップＳ２２でストロボ２９を発光させると共に、デジタルカメラ２０のシャッターを切る。そして、ステップＳ２４でデジタルカメラ２０の出力する画像データを取り込んで光磁気ディスク装置１５に格納し、この処理を終了する。
【００１６】
このように、被験者が椅子に座ることで、デジタルカメラ２０に対する大まかな位置合わせを行うことができ、更に、ＬＥＤマーカ２１〜２４の発する基準を示す光とハーフミラーに写った自分の顔を見て、被験者は自らデジタルカメラ２０に対する位置合わせを行うことができ、被験者一人で位置ずれのない顔情報を入力することができる。
【００１７】
ところで、メーキャップカウンセリングシステムでは、この後、顔画像の特徴点を抽出し、被験者の肌色データを得る。そして、スイート、クール、キュート、フレッシュの４つのメーキャップイメージタイプうち、いずれのメーキャップイメージタイプを被験者が選択したかを読み取り、また、頬紅を塗布するシミュレーション、アイシャドーやアイラインのシミュレーション、リップペンや口紅のシミュレーションを行う。
【００１８】
なお、デジタルカメラ２０が請求項に記載の撮影手段に対応し、ＣＲＴ１６及びスピーカ１７がガイダンス出力手段に対応し、ＬＥＤマーカ２１〜２４が発光手段に対応する。
【００１９】
【発明の効果】
上述の如く、請求項１に記載の発明は、被験者の顔を撮影して画像データを出力する撮影手段と、
前記被験者が座る高さ調整機構を持つ椅子と、
前記被験者に対し位置合わせのガイダンスを出力するガイダンス出力手段と、
前記撮影手段の上下左右を囲んで複数配置され撮影時の位置合わせの基準を示す発光手段と、
前記撮影手段の近傍に配置され撮影時に発光して前記被験者の顔を照明する照明手段と、
前記撮影手段及び発光手段及び照明手段と前記被験者との間に配置され、前記発光手段の発する光を前記被験者側に透過すると共に、前記被験者の顔を反射して写すハーフミラーとを有する。
【００２０】
このため、被験者が椅子に座ることで、撮影手段に対する大まかな位置合わせを行うことができ、更に、発光手段の発する基準を示す光とハーフミラーに写った自分の顔を見て、被験者は自ら撮影手段に対する位置合わせを行うことができ、自分一人で顔情報を入力できる。
請求項２に記載の発明は、発光手段は、前記ガイダンス出力手段が位置合わせのガイダンスを出力するときに点滅する。
【００２１】
このため、撮影手段に対する位置合わせを簡単かつ正確に行うことができる。
【図面の簡単な説明】
【図１】本発明の顔情報入力システムを含むメーキャップカウンセリングシステムの一実施例のブロック図である。
【図２】メーキャップカウンセリングシステムの側面図である。
【図３】パーソナルコンピュータ１４が実行する顔情報入力処理の一実施例のフローチャートである。
【図４】撮影画面の一例を示す図である。
【図５】本発明の位置合わせを説明するための図である。
【符号の説明】
１０  撮影ユニット
１２  主ユニット
１４  パーソナルコンピュータ（パソコン）
１６  ＣＲＴモニタ
１７  スピーカ
１８  プリンタ
１９  タッチパネル
２０  デジタルカメラ
２１〜２４  ＬＥＤマーカ
２５  ハーフミラー
２６，２８  蛍光灯
２９  ストロボ
４２  撮影ボタン
【図１】
0003865183.tif 000002
【図２】
0003865183.tif 000003
【図３】
0003865183.tif 000004
【図４】
0003865183.tif 000005
【図５】
0003865183.tif 000006